(57)【要約】【課題】紙幣処理装置は、紙幣の払出指示を受け付けて、装置内に収納された紙幣から繰出す場合に、誤って繰出されるのを防止することができること。【解決手段】挿入された紙幣を紙幣処理装置が識別し、識別結果に基づいて紙幣の収納属性を紙幣処理装置が決定し、紙幣処理装置で不具合が発生したことを紙幣処理装置で検知し、不具合が検知された場合に、不具合が検知された旨を収納属性に対して紙幣処理装置が関連付け、不具合が検知された旨が関連付けられた収納属性に対応する紙幣を紙幣処理装置が繰出対象から除外するように紙幣処理装置を構成する。【選択図】図２
2011070437.tif 000002
【特許請求の範囲】
【請求項１】
紙幣を収納し、収納した前記紙幣を繰出す紙幣処理装置であって、
挿入された前記紙幣を識別する紙幣識別部と、
前記紙幣識別部による識別結果に基づいて前記紙幣の収納属性を決定する収納属性決定部と、
前記紙幣処理装置で不具合が発生したことを検知する不具合検知部と、
前記不具合検知部によって不具合が検知された場合に、不具合が検知された旨を前記収納属性に対して関連付ける関連付け部と、
前記関連付け部によって前記不具合が検知された旨が関連付けられた前記収納属性に対応する前記紙幣を繰出対象から除外する除外部と
を備えたことを特徴とする紙幣処理装置。
【請求項２】
前記関連付け部は、
挿入された前記紙幣を収納する一連の処理を示す取引の期間中または完了後において前記不具合検知部によって不具合が検知された場合に、当該取引に属するすべての前記紙幣の前記収納属性に対して不具合が発生した旨を関連付けることを特徴とする請求項１に記載の紙幣処理装置。
【請求項３】
前記関連付け部は、
挿入されたすべての前記紙幣を複数のグループへ分割したうえで、各グループのそれぞれを前記取引として取り扱うことを特徴とする請求項２に記載の紙幣処理装置。
【請求項４】
前記収納属性決定部によって決定された前記収納属性に基づき、前記紙幣をテープとともに巻き取って収納するテープ式収納部
をさらに備えたことを特徴とする請求項１、２または３に記載の紙幣処理装置。
【請求項５】
前記除外部によって繰出対象から除外された前記紙幣を回収する回収部
をさらに備えたことを特徴とする請求項１〜４のいずれか一つに記載の紙幣処理装置。
【請求項６】
前記紙幣識別部は、
前記除外部によって繰出対象から除外された前記紙幣を再識別することを特徴とする請求項１〜４のいずれか一つに記載の紙幣処理装置。
【請求項７】
挿入されたすべての前記紙幣を一時的に収納する第１の収納部と、
前記紙幣の種別ごとに用意されており、前記第１の収納部から前記紙幣を受け付ける場合に作動する第２の収納部と、
前記第１の収納部から前記第２の収納部へ前記紙幣を送出すると、同時に作動する前記第２の収納部の個数が所定の閾値を超える場合に、前記第１の収納部に対して前記紙幣の送出を待機するように指示する待機指示部と
をさらに備えたことを特徴とする請求項１〜６のいずれか一つに記載の紙幣処理装置。
【発明の詳細な説明】
【技術分野】
【０００１】
本発明は、紙幣を収納し、収納した紙幣を繰出す紙幣処理装置に関するものである。
【背景技術】
【０００２】
従来から、銀行等の金融機関には、ＡＴＭ（Automatic Teller Machine）と呼ばれる現金自動預け払い機が設置されており、顧客は、通帳やキャッシュカードをＡＴＭに挿入して現金の預け入れ、または、引き出しを行っている。
【０００３】
かかる紙幣処理装置における紙幣の収納方式としては、テープに挟まれた紙幣をローラで巻き取ることによって収納するテープ方式がある。また、他の収納方式としては、紙幣処理装置内のスタッカと呼ばれる紙幣収納庫に紙幣を積層状態で収納するスタッカ方式もある。
【０００４】
たとえば、特許文献１には、テープ方式を採用した紙幣処理装置が開示されている。かかるテープ方式の紙幣処理装置では、顧客によって預け入れが行われる際に、入金された紙幣を１本または２本のテープとともにローラで巻き取って１枚ずつ収納する。また、顧客によって現金が引き出される際には、ローラを巻き戻すことによって、入金時に収納しておいた紙幣を１枚ずつ繰出して出金する。
【０００５】
ここで、テープ方式を採用した紙幣処理装置では、紙幣を収納する際に、紙幣の識別処理を行い、紙幣の属性（たとえば、金種）や収納順序の情報を記憶することとしている。そして、収納された紙幣を繰り出す際には、記憶しておいた金種や収納順序の情報を利用することで、識別処理を行うことなく該当する紙幣を出金することができる。
【０００６】
一方、スタッカ方式を採用した紙幣処理装置では、入金時に識別されて収納しておいた紙幣を、出金時に再度識別を行ってから出金する。これは、スタッカ方式では、積層状態の紙幣を１枚ずつに分離して繰り出す際に、２枚以上の紙幣が重なって繰り出されたり、集積に失敗して紙幣の順番が入れ替わる可能性があるためである。
【０００７】
このように、スタッカ方式の紙幣処理装置では、出金時の識別処理が不可欠となる。このため、出金時の識別処理が不要なテープ方式の紙幣処理装置のほうが出金処理を迅速に行うことができ、単位時間あたりの紙幣処理枚数を増やすことがきる。
【先行技術文献】
【特許文献】
【０００８】
【特許文献１】特開２００５−２９３３８９号公報
【発明の概要】
【発明が解決しようとする課題】
【０００９】
しかしながら、上述したテープ方式の紙幣処理装置は、記憶した属性および収納順序の情報に基づいて紙幣を繰出し、出金するようにしているため、記憶した情報の正確性が損なわれた場合に、誤出金してしまうという問題点があった。
【００１０】
たとえば、テープ方式の紙幣処理装置で、紙幣の搬送不良等のエラーが発生した場合、エラーを解除するには、エラーによって搬送路上に滞っていた紙幣を銀行の行員（以下、単に「行員」と記載する）が手動で紙幣処理装置内に収納することがある。
【００１１】
この場合、従来の紙幣処理装置は、紙幣を収納する際に記憶した属性および収納順序の情報と、行員によって収納された実際の紙幣の属性および収納順序とが不一致となり、誤出金を招いてしまう。
【００１２】
また、紙幣処理装置内で、エラー状態を回避するために自動復旧処理が行われこともあるが、この場合にも、属性および収納順序の情報と、行員によって収納された実際の紙幣の属性および収納順序との不一致が発生するおそれがある。
【００１３】
これらのことから、紙幣の誤出金を防止することができる紙幣処理装置をいかにして実現するかが課題となる。
【００１４】
本発明は、上述した従来技術の課題を解決するためになされたものであり、紙幣の誤繰出しを防止することができる紙幣処理装置を提供することを目的とする。
【課題を解決するための手段】
【００１５】
上述した課題を解決し、目的を達成するために、本発明は、紙幣を収納し、収納した前記紙幣を繰出す紙幣処理装置であって、挿入された前記紙幣を識別する紙幣識別部と、前記紙幣識別部による識別結果に基づいて前記紙幣の収納属性を決定する収納属性決定部と、前記紙幣処理装置で不具合が発生したことを検知する不具合検知部と、前記不具合検知部によって不具合が検知された場合に、不具合が検知された旨を前記収納属性に対して関連付ける関連付け部と、前記関連付け部によって前記不具合が検知された旨が関連付けられた前記収納属性に対応する前記紙幣を繰出対象から除外する除外部とを備えたことを特徴とする。このように、紙幣を収納する際に紙幣の収納属性と不具合情報とを関連付け、不具合情報が関連付けられた情報に基づいて紙幣を繰出すことによって、紙幣の誤繰出しを防止することができるという効果を奏する。
【００１６】
また、本発明は、前記関連付け部は、挿入された前記紙幣を収納する一連の処理を示す取引の期間中または完了後において前記不具合検知部によって不具合が検知された場合に、当該取引に属するすべての前記紙幣の前記収納属性に対して不具合が発生した旨を関連付けることを特徴とする。このように、不具合が発生した旨を関連付ける紙幣の数に幅を持たせることによって、たとえば、複数枚の紙幣が詰まってしまう等の不具合が発生した場合であっても、紙幣の誤繰出しを防止することができるという効果を奏する。
【００１７】
また、本発明は、前記関連付け部は、挿入されたすべての前記紙幣を複数のグループへ分割したうえで、各グループのそれぞれを前記取引として取り扱うことを特徴とする。このように、不具合が発生した旨を関連付ける紙幣の数を少なくすることによって、繰出対象から除外する紙幣を減らすことができ、より多くの紙幣を効率良く繰出し紙幣として利用することができるという効果を奏する。
【００１８】
また、本発明は、前記収納属性決定部によって決定された前記収納属性に基づき、前記紙幣をテープとともに巻き取って収納するテープ式収納部をさらに備えたことを特徴とする。このように、テープ式収納を採用することによって、収納された紙幣の繰出しを行う際に、複数の紙幣が重なって繰出されることを防止することができるという効果を奏する。
【００１９】
また、本発明は、前記除外部によって繰出対象から除外された前記紙幣を回収する回収部をさらに備えたことを特徴とする。このように、実際の紙幣の属性および収納順序との不一致が発生しているおそれがある紙幣を繰出さないことによって、紙幣の誤繰出しを防止することができるという効果を奏する。
【００２０】
また、本発明は、前記紙幣識別部は、前記除外部によって繰出対象から除外された前記紙幣を再識別することを特徴とする。このように、実際の紙幣の属性および収納順序との不一致が発生しているおそれがある紙幣を再度識別することによって繰出対象の紙幣を収納することができることによって、より多くの紙幣を効率良く繰出し紙幣として利用することができるという効果を奏する。
【００２１】
また、本発明は、挿入されたすべての前記紙幣を一時的に収納する第１の収納部と、前記紙幣の種別ごとに用意されており、前記第１の収納部から前記紙幣を受け付ける場合に作動する第２の収納部と、前記第１の収納部から前記第２の収納部へ前記紙幣を送出すると、同時に作動する前記第２の収納部の個数が所定の閾値を超える場合に、前記第１の収納部に対して前記紙幣の送出を待機するように指示する待機指示部とをさらに備えたことを特徴とする。このように、同時に作動する収納部の数を制限することによって、電源容量を節減するとともに、消費電力にかかるコストを削減することができるという効果を奏する。
【発明の効果】
【００２２】
本発明によれば、紙幣処理装置は、紙幣を収納する際に紙幣の収納属性と不具合情報とを関連付け、紙幣を繰出す際に、不具合情報が関連付けられた情報に基づいて紙幣を繰出すこととした。このようにすることで、紙幣の誤繰出しを防止することができるという効果を奏する。
【図面の簡単な説明】
【００２３】
【図１】図１は、本発明にかかる紙幣処理手法の概要を示す図である。
【図２】図２は、本実施例にかかる紙幣処理装置の構成を示すブロック図である。
【図３】図３は、本実施例にかかる紙幣処理装置の構成図である。
【図４】図４は、エラー情報の一例を示す図である。
【図５】図５は、紙幣収納処理手順の一例を示す図である。
【図６】図６は、紙幣繰出し処理手順の一例を示す図である。
【図７】図７は、紙幣処理装置が実行する紙幣収納処理手順の概要を示すフローチャートである。
【図８】図８は、紙幣処理装置が実行する紙幣繰出し処理手順の概要を示すフローチャートである。
【図９】図９は、変形例にかかる紙幣処理装置の構成図である。
【図１０】図１０は、変形例にかかる紙幣収納処理手順の一例を示す図である。
【図１１】図１１は、変形例にかかる紙幣送出処理手順の一例を示す図である。
【図１２】図１２は、変形例にかかる紙幣送出処理手順の一例を示す図である。
【発明を実施するための形態】
【００２４】
以下に添付図面を参照して、本発明にかかる紙幣処理手法の好適な実施例を詳細に説明する。なお、以下では、本発明にかかる紙幣処理手法の概要について図１を用いて説明した後に、本発明にかかる紙幣処理手法を適用した紙幣処理装置についての実施例を図２〜図１２を用いて説明することとする。
【実施例】
【００２５】
図１は、本発明にかかる紙幣処理手法の概要を示す図である。なお、同図では、テープ方式によって紙幣の収納および繰出しを行う紙幣処理装置を例にして説明を行う。また、同図では、紙幣を入金した際の識別処理によって「Ａ金種」と識別された紙幣が、Ａ金種用の収納部である「Ａ金種収納部」へ収納される場合について示している。
【００２６】
同図の（Ａ）に示すように、本発明にかかる紙幣処理手法では、識別済みの紙幣（同図の（１）参照）を収納部に収納する際（同図の（２）参照）、金種や収納順序といった収納属性と、搬送不良等のエラーが発生したか否かを示すエラー情報とを関連付けて記憶する。そして、本発明にかかる紙幣処理手法では、収納された紙幣を出金する際に、「エラーあり」である旨が関連付けられた収納属性に対応する紙幣を出金対象から除外する。
【００２７】
ここで、エラー発生の有無は、所定の「取引」ごとに判定される。たとえば、複数の金種を含んだ紙幣群が入金された場合に、かかる紙幣群が１つの「取引」に属すると呼ぶことができる。
【００２８】
たとえば、同図の（Ａ）に示したように、１回目および３回目の取引においてエラー発生がなかったとすると、１回目および３回目の取引に属する紙幣の各収納属性に対して「エラーなし」である旨が関連付けられる。また、２回目の取引においてエラーが発生したとすると、２回目の取引に属する紙幣の各収納属性に対して「エラーあり」である旨が関連付けられる。
【００２９】
なお、図１では、一度に入金された紙幣群を１つの取引として取り扱う場合について示すが、後述するように、一度に入金された紙幣群を紙幣処理装置側で複数のグループへ分割し、各グループを１つの「取引」として取り扱うこととしてもよい。
【００３０】
このように、本発明にかかる紙幣処理手法では、紙幣を収納する場合に、各紙幣の収納属性と、エラー情報とを関連付ける。そして、収納された紙幣を出金する場合に、エラー情報が関連付けられた収納属性に基づき、該当する紙幣を出金対象とするか否かを判定する。
【００３１】
具体的には、図１の（Ｂ）に示したように、収納された紙幣を出金する場合、ローラを巻き戻すことによって、収納時の順序とは逆順で紙幣を繰り出す（同図の（３）参照）。同図に示した場合では、「エラーなし」である旨が関連付けられた３回目の取引に属する紙幣は、出金対象となる（同図の（４）参照）。一方、「エラーあり」である旨が関連付けられた２回目の取引に属する紙幣は、出金対象とはせず、再識別または回収の対象とする（同図の（５）参照）。
【００３２】
このように、本発明にかかる紙幣処理手法では、装置内に紙幣を収納する際に、各紙幣に対応する収納属性にエラー発生の有無を関連付ける。そして、収納された紙幣を出金する際には、エラーありである旨が関連付けられた収納属性に対応する紙幣を出金対象から除外する。
【００３３】
したがって、本発明に係る紙幣処理手法によれば、収納属性が実際の収納状況とは異なる可能性がある紙幣を確実に出金対象から除外することができるので、紙幣の誤出金を防止することが可能となる。
【００３４】
以下では、本発明にかかる紙幣処理手法を適用した紙幣処理装置についての実施例を詳細に説明する。図２は、本実施例にかかる紙幣処理装置１０の構成を示すブロック図である。なお、図２では、紙幣処理装置１０の特徴点を説明するために必要な構成要素のみを抜粋して示している。
【００３５】
紙幣処理装置１０は、エラー検知部１１と、入金部１２と、出金指示部１３と、出金部１４と、収納部１５と、回収部１６と、記憶部１７と、制御部１８とを備えている。また、制御部１８は、エラー関連付け部１８ａと、収納属性決定部１８ｂと、紙幣識別部１８ｃと、出金判定部１８ｄとをさらに備えており、記憶部１７は、エラー情報１７ａを記憶する。
【００３６】
エラー検知部１１は、各種センサで構成され、入金部１２や搬送路等、紙幣処理装置１０内で、搬送不良や紙幣詰まり等のエラーを検知して、エラー関連付け部１８ａへ通知する。また、エラー検知部１１は、行員によって、手動でエラーの解除が行われた場合にも、紙幣処理装置１０のドアが開けられたことを、センサで検知して、エラーが発生した旨を、エラー関連付け部１８ａへ通知する。
【００３７】
入金部１２は、預け入れ紙幣を挿入する紙幣挿入口であり、入金部１２にセットされた１枚または複数枚の紙幣を、１枚ずつ紙幣処理装置１０内に取り込み、取り込んだ紙幣を紙幣識別部１８ｃへ渡す。
【００３８】
出金指示部１３は、出金指示、出金金額あるいはパスワードといった各種入力を受け付ける操作ボタン、たとえばテンキーを備えており、顧客によって入力された出金金額や出金許可の為のパスワード等の入力情報を出金判定部１８ｄへ渡す。
【００３９】
なお、出金指示部１３を、タッチパネルディスプレイなどの入出力デバイスで構成することとしてもよい。なお、タッチパネルディスプレイは、出金指示や数字が表示するとともに、表示画面に対してタッチされたディスプレイ上の座標位置情報を取得する。
【００４０】
出金部１４は、出金処理が行われた際に、紙幣が出金される紙幣取出し口であり、出金判定部１８ｄで、出金対象紙幣と判定された紙幣が、この出金部１４に搬送されることになる。
【００４１】
収納部１５は、紙幣をテープに挟み、テープとともに紙幣をローラで巻き取ることによって、紙幣を１枚ずつ収納し、また、ローラを巻き戻すことによって、紙幣を１枚ずつ繰出すことができるテープ方式の収納部である。また、収納部１５は、複数の金種ごとに収納部が分類されており、収納属性決定部１８ｂで決定された紙幣の金種および収納順序に基づいて所定の収納部に紙幣が収納される。
【００４２】
回収部１６は、紙幣識別部１８ｃで偽札である、または、汚れや破れがある損券であると識別された紙幣を回収しておく回収用の収納部である。また、出金判定部１８ｄで、エラーありと判定された紙幣は出金対象紙幣とはしないで、いったん、この回収部１６に回収される。
【００４３】
記憶部１７は、不揮発性メモリやハードディスクドライブといった記憶デバイスで構成される記憶部であり、エラー情報１７ａを記憶する。エラー情報１７ａは、収納属性決定部１８ｂで決定された紙幣の収納属性と、エラー検知部１１で検知したエラーの情報とが関連付けられた情報である。
【００４４】
エラー関連付け部１８ａは、エラー検知部１１から受け付けたエラーの情報を、収納属性決定部１８ｂで決定された紙幣の収納属性と関連付けてエラー情報１７ａとして記憶部１７へ記憶させる処理を行う処理部である。
【００４５】
また、エラー関連付け部１８ａは、エラー検知部１１から受け付けたエラーの情報を、制御部１８の図示しない自動復旧処理部へ渡す処理を併せて行う。なお、自動復旧処理部は、受け付けたエラーの情報に基づいて搬送不良や紙幣詰まり等を自動で復旧させる処理を行う処理部である。
【００４６】
収納属性決定部１８ｂは、紙幣識別部１８ｃで識別された金種に基づいて何れの収納部１５に紙幣を収納するか、および、紙幣の収納順序を収納属性として決定し、エラー関連付け部１８ａへ渡す処理を行う処理部である。
【００４７】
紙幣識別部１８ｃは、入金部１２から受け付けた紙幣の金種の識別、偽札であるか否かの真偽判定および汚れや破れがあるか否かの正損判定等を行い、真券かつ正券であると判定した場合は、金種情報を収納属性決定部１８ｂへ渡す処理を行う処理部である。
【００４８】
紙幣識別部１８ｃにより、入金部１２から受け付けた紙幣が、偽券または損券であると判定した場合は、制御部１８は紙幣を回収部１６へ渡す処理を行う。
【００４９】
出金判定部１８ｄは、出金指示部１３からの入力情報である出金金額を受け付けて、収納部１５から何れの金種を何枚出金させるかを判定し、収納部１５から所定の紙幣を繰出させる処理を行う処理部である。
【００５０】
また、出金判定部１８ｄは、記憶部１７に記憶されたエラー情報１７ａに基づいて紙幣が出金対象紙幣であるか否かを判定する処理を併せて行う。具体的には、出金判定部１８ｄは、「エラーなし」である旨が関連付けられた紙幣を出金対象紙幣として、出金部１４へ搬送させる。一方、出金判定部１８ｄは、「エラーあり」である旨が関連付けられた紙幣を回収部１６へ回収させる。
【００５１】
なお、出金判定部１８ｄは、「エラーあり」である旨が関連付けられた紙幣を回収部１６へ回収させる旨の説明を行ったが、紙幣識別部１８ｃで、再識別を行うように一時的に収納しておく図示しない保留紙幣収納部へ収納させるようにしてもよい。この場合、紙幣識別部１８ｃによる再識別の結果、エラーなしと判定された紙幣を出金対象紙幣として取り扱うことができ、紙幣の利用効率を向上させることができる。
【００５２】
つぎに、紙幣処理装置１０の装置内部の構成について、図３を用いて説明する。図３は、本実施例にかかる紙幣処理装置１０の構成図である。なお、図３では、紙幣処理装置１０の特徴点を説明するために必要な構成要素のみを抜粋して示しており、また、図２のブロック図で説明した部分については同一の符号を付し、説明を省略することとする。
【００５３】
図３に示すように、紙幣処理装置１０は、上部ユニット２０と、下部ユニット３０とを備えている。また、上部ユニット２０は、入金部１２と、紙幣識別部１８ｃと、搬送路２１と、出金部１４とをさらに備えており、下部ユニット３０は、複数の金種ごとの収納部１５と、回収部１６と、搬送路２１とをさらに備えている。さらに、各収納部１５は、テープ３２に挟まれた紙幣を収納する際、テープ３２とともに紙幣を巻き取るローラ３１と、テープ３２と、テープ３２を巻き取るテープリール３３と、テープ３２を案内するガイドローラ３４とを備えている。なお、左上の収納部１５にテープ３２、テープリール３３およびガイドローラ３４を備えるよう図示したが、他の収納部１５にも、上述したテープ３２、テープリール３３およびガイドローラ３４が、それぞれ備えられているものとする。
【００５４】
ここで、紙幣処理装置１０は、上部ユニット２０と下部ユニット３０とに分かれており、上部ユニット２０内で、何らかのエラーが発生した場合には、行員が上部ユニット２０に備えるドアを開けて、手動でエラーを解除することができる。
【００５５】
一方、下部ユニット３０内で何らかのエラーが発生した場合には、手動でエラーを解除することが許可されていないことが通常である。これは、下部ユニット３０は、入金された紙幣が収納されていることから、金庫としての機能をもつためである。このため、紙幣処理装置１０は、ドアを開けることなく、自動でエラーを解除する機能を持ち合わせている。
【００５６】
ここで、紙幣処理装置１０の装置内部を、処理および紙幣の流れとともに説明する。入金部１２に紙幣が挿入され、図示しない入金指示部等から入金指示が行われると、紙幣は紙幣識別部１８ｃに搬送される。そして、紙幣識別部１８ｃでは、搬送された紙幣の識別が行われる。
【００５７】
つづいて、紙幣が真券かつ正券であると判定された場合には、紙幣は搬送路２１経由で、識別された金種に対応する収納部１５へ搬送され、収納される。紙幣が収納される際に、エラー関連付け部１８ａは、収納属性とエラーの有無とを関連付けてエラー情報１７ａとして記憶する。一方、紙幣が偽券または損券であると判定された場合には、紙幣は搬送路２１経由で、回収部１６へ回収されることとなる。
【００５８】
また、紙幣処理装置１０は、出金指示を受け付けると、金種ごとに収納される収納部１５から、所定の金種および枚数の紙幣を繰出すことになる。この場合、繰出された紙幣に対応するエラー情報１７ａに基づき、繰り出された紙幣を出金対象とするか否かを判定する。
【００５９】
そして、収納部１５から繰出された紙幣が、エラーなしと判定された場合には、繰出された紙幣は搬送路２１経由で、出金部１４へ出金される。一方、収納部１５から繰出された紙幣が、エラーありと判定された場合には、繰出された紙幣は搬送路２１経由で、回収部１６へ回収されることとなる。
【００６０】
つぎに、紙幣処理装置１０の記憶部１７が記憶するエラー情報１７ａについて、図４を用いて説明する。図４は、エラー情報１７ａの一例を示す図である。なお、図４の（Ａ）には、従来技術にかかる収納属性を、図４の（Ｂ）には、エラー情報１７ａを、それぞれ示している。
【００６１】
図４の（Ａ）に示すように、従来の属性情報は、紙幣が何れの収納部に収納されているかを示す「収納部ＩＤ」項目と、収納部ＩＤで示す収納部に収納された紙幣の収納順序を示す「通番」項目および収納部に収納する紙幣の種類である「金種」項目を含む情報であった。
【００６２】
ここで、識別された紙幣の金種によって収納部を分類する場合、たとえば、収納部ＩＤが「１」である収納部にＡ金種の紙幣を収納するのであれば、属性情報には、「収納部ＩＤ：１」、「金種：Ａ」と記憶される。さらに、収納部別に紙幣が収納された順序で、属性情報の「通番」項目が採番されることとなる。
【００６３】
なお、所定の金種の紙幣を、複数の収納部に分割して収納することとしてもよい。たとえば、Ａ金種の紙幣を、収納部ＩＤが「１」および「４」である収納部に収納するよう、割り当てを行うこととしてもよい。
【００６４】
しかし、図４の（Ａ）に示した従来の属性情報を用いた場合、属性情報が紙幣の実際の収納状況と食い違った場合に、誤出金を起こしてしまう。そこで、紙幣処理装置１０では、図４の（Ｂ）に示したように、上述した「収納部ＩＤ」、「通番」および「金種」に加え、「取引番号」およびエラーが発生したか否かを示す「エラー」項目を付加し、紙幣の収納時にエラー情報１７ａとして記憶することとした。
【００６５】
ここで、１取引を顧客によって現金の預け入れが１回行われる単位とし、「取引番号」は取引単位で採番することとする。また、取引ごとにエラーが発生したか否かを「エラー」項目に記憶する。
【００６６】
具体的には、所定の収納部１５に紙幣が収納される際、収納部ＩＤ、収納順序および金種とともに、「取引番号」と、１取引中または１取引の終了後にエラーが発生したか否かの「エラー」の情報とをエラー情報１７ａとして記憶する。
【００６７】
たとえば、１回目の預け入れが行われた際に、Ａ金種の紙幣が２枚およびＢ金種の紙幣が１枚入金され、エラーが発生しなかった場合に、入金された３枚の紙幣に対応するエラー情報１７ａは、「取引番号：１、エラー：なし」と記憶される(同図の（Ｂ）の１、２および８行目参照)。
【００６８】
一方、２回目の預け入れが行われた際に、Ａ金種の紙幣が３枚およびＢ金種の紙幣が１枚入金され、何らかのエラーが発生した場合に、入金された４枚の紙幣に対応するエラー情報１７ａは、「取引番号：２、エラー：あり」と記憶される(同図の（Ｂ）の３〜５および９行目参照)。このように、エラー情報１７ａには、取引番号およびエラー発生の有無が紙幣ごとに記録される。
【００６９】
そして、出金する際には、エラー情報１７ａに記憶される「エラー」項目に基づいて出金判定処理を行う。たとえば、Ａ金種の紙幣を出金する場合、「収納部ＩＤ：１」の収納部から紙幣を繰出して、繰出した紙幣に対応する「エラー」項目が「なし」の場合は(同図の（Ｂ）の１行目参照)、繰出した紙幣を出金対象紙幣と判定する。そして、再度紙幣の識別を行うことなく出金部１４へ搬送する。
【００７０】
一方、繰出した紙幣に対応する「エラー」項目が「あり」の場合は(同図の（Ｂ）の３行目参照)、繰出した紙幣を出金対象紙幣とは判定しないで、回収部１６へ回収することとなる。
【００７１】
なお、ここでは、取引単位を顧客によって現金の預け入れが１回行われる単位とし、取引単位で取引番号を採番し、取引番号とともにエラーが発生したか否かを関連付ける旨の説明を行った。
【００７２】
しかし、１回の現金の預け入れで挿入された紙幣を所定の枚数からなる複数のグループに分割したうえで、分割した各グループを１つの取引として取り扱うこととしてもよい。そして、かかる１つの取引ごとに、エラーが発生したか否かを関連付けるようにしてもよい。たとえば、入金部１２の額を超える紙幣が入金される場合、複数回に分割して入金処理を行うが、各回ごとの入金処理を本発明における１つの取引としてもよい。
【００７３】
以下では、１回の現金の預け入れで挿入された紙幣のうち１０枚ずつ入金処理を行った場合に、１回目の処理のうち、Ａ金種の紙幣が２枚で、その他の金種の紙幣が８枚あり、エラーが発生しなかった場合について図４の（Ｃ）を用いて説明する。
【００７４】
図４の（Ｃ）に示したように、収納部ＩＤ：１の収納部１５には、２枚のＡ金種の紙幣が収納されるので、同図の（Ｃ）に示すように、２枚の紙幣の対応するエラー情報１７ａには、「取引番号：１−１、エラー：なし」と記憶される(同図の（Ｃ）の１、２行目参照)。その他の金種の紙幣についても、図示しないが、同様にエラー情報１７ａに「エラー：なし」と記憶される。
【００７５】
また、２回目の処理の１０枚のうち、Ａ金種の紙幣が３枚あり、エラーが発生した場合には、３枚の紙幣の対応するエラー情報１７ａに、「取引番号：１−２、エラー：あり」と記憶される(同図の（Ｃ）の３〜５行目参照)。
【００７６】
このように、取引単位の紙幣枚数を少なくすることで、ある時点でエラーが発生した場合、エラー情報１７ａに「エラー：あり」と記憶される紙幣枚数を少なくすることができる。したがって、出金する際には、逆に出金対象紙幣と判定される紙幣が多くなることから、効率良く、収納された紙幣を出金することができる。
【００７７】
つぎに、紙幣処理装置１０が行う紙幣処理手順の詳細について、図５〜図６を用いて説明する。まず、紙幣処理装置１０が行う紙幣収納処理手順について、図５を用いて説明する。図５は、紙幣収納処理手順の一例を示す図である。
【００７８】
同図に示すように、紙幣処理装置１０は、Ａ金種、Ｂ金種およびＣ金種の３種類の金種にそれぞれ対応する収納部１５を備えており、それぞれの収納部１５のローラ３１を巻き取ることによって金種ごとに各紙幣を収納する。
【００７９】
収納属性決定部１８ｂは、紙幣識別部１８ｃで識別された金種に基づいて何れの収納部１５に紙幣を収納するか、および、紙幣の収納順序を収納属性として決定し、決定された収納属性に基づいて各収納部１５へ真券かつ正券と判定された紙幣のみが搬送され、収納される。
【００８０】
また、エラー関連付け部１８ａでは、エラー検知部１１から受け付けたエラーの情報を、収納属性決定部１８ｂで決定された紙幣の収納属性と関連付けて、エラー情報１７ａとして記憶する。
【００８１】
たとえば、紙幣処理装置１０は、１回目の預け入れが行われた際に、Ａ金種の紙幣が２枚、Ｂ金種の紙幣が１枚およびＣ金種の紙幣が３枚入金され、エラーが発生しなかった場合に、Ａ金種収納部１５に２枚のＡ金種紙幣が、Ｂ金種収納部１５に１枚のＢ金種紙幣が、Ｃ金種収納部１５に３枚のＣ金種紙幣が収納される。
【００８２】
そして、紙幣処理装置１０は、入金された合計６枚の紙幣に対して、「エラー：なし」と関連付けてエラー情報１７ａに記憶する。なお、ここでは、取引単位を顧客によって現金の預け入れが１回行われる単位として説明する。
【００８３】
その後、紙幣処理装置１０は、２回目の預け入れが行われた際に、Ａ金種の紙幣が３枚およびＢ金種の紙幣が４枚入金され、何らかのエラーが発生したとする。この場合、入金された合計７枚の紙幣に対して、「エラー：あり」と関連付けてエラー情報１７ａに記憶し、各紙幣は金種に対応する各収納部１５に収納される。
【００８４】
さらに、紙幣処理装置１０は、３回目の預け入れが行われた際に、Ａ金種の紙幣が１枚、Ｂ金種の紙幣が１枚およびＣ金種の紙幣が２枚入金され、エラーが発生しなかったとする。この場合、入金された合計４枚の紙幣に対して、「エラー：なし」と関連付けてエラー情報１７ａに記憶し、各紙幣は金種に対応する各収納部１５に収納される。
【００８５】
つぎに、紙幣処理装置１０が行う紙幣繰出し処理手順の詳細について、図６を用いて説明する。図６は、紙幣繰出し処理手順の一例を示す図である。
【００８６】
ここで、紙幣処理装置１０は、出金指示を受け付けると、出金判定部１８ｄでは、出金指示部１３からの出金指示とともに、入力情報である出金金額を受け付けて、金種ごとに紙幣の出金枚数をそれぞれ判定する。
【００８７】
そして、出金判定部１８ｄは、各収納部１５から所定の枚数の紙幣を繰出す際、記憶部１７に記憶されているエラー情報１７ａに基づいて出金対象紙幣か否かを判定する。出金判定部１８ｄは、繰出された紙幣に、エラーなしと関連付けられている場合は、紙幣を出金部１４へ搬送させ、一方、繰出された紙幣に、エラーありと関連付けられている場合は、繰出された紙幣を回収部１６へ回収させる。
【００８８】
たとえば、出金判定部１８ｄは、出金金額によってＡ金種の出金枚数を２枚と判定した場合、図６に示すように、Ａ金種収納部１５に備えるローラ３１を巻き戻すことによって、入金時に収納しておいた紙幣を繰出す。
【００８９】
ここでは、エラーなしと関連付けられている１枚の紙幣が出金対象紙幣として、出金部１４に搬送され、２枚のエラーありと関連付けられている紙幣が、回収部１６に回収された図を示す。
【００９０】
その後、出金判定部１８ｄでは、出金対象紙幣の出金枚数２枚に到達するまで、紙幣の繰出しを行い、エラー情報１７ａに基づいて出金対象紙幣か否かを判定し、判定結果に基づいて紙幣を出金部１４または回収部１６へ搬送されることとなる。
【００９１】
上述したように、複数の金種ごとに設けられた各収納部１５に収納された紙幣を、金種ごとにそれぞれ出金枚数に到達するまで繰出して、出金指示とともに受け付けた出金金額を出金部１４に搬送するよう、処理を繰り返す。
【００９２】
これまでは、紙幣処理装置１０が行う紙幣処理手順の詳細を、紙幣の流れを図示して説明してきたが、つぎに、紙幣処理装置１０が行う紙幣処理手順を、図７〜図８に示したフローチャートを用いて説明する。
【００９３】
まず、紙幣処理装置１０が行う紙幣収納処理手順の概要について、図７を用いて説明する。図７は、紙幣処理装置１０が実行する処理手順の概要を示すフローチャートである。なお、ここでは、取引単位ごとに本フローチャートで示した紙幣収納処理手順を行うこととする。
【００９４】
同図に示すように、紙幣識別部１８ｃは、１枚ずつ紙幣の識別を行い（ステップＳ１０１）、紙幣が真券かつ正券であるか否かを判定する（ステップＳ１０２）。そして、紙幣が真券かつ正券であると判定された場合（ステップＳ１０２：Ｙｅｓ）、収納属性決定部１８ｂは、識別された金種に基づいて収納属性を決定する（ステップＳ１０３）。
【００９５】
その後、エラー関連付け部１８ａは、エラーが発生したか否かを判定し（ステップＳ１０４）、エラーが発生していないと判定された場合（ステップＳ１０４：Ｙｅｓ）、紙幣収納処理を実行している取引のエラーの情報を「エラーなし」とする（ステップＳ１０５）。
【００９６】
一方、エラー関連付け部１８ａは、エラーが発生したと判定された場合（ステップＳ１０４：Ｎｏ）、紙幣収納処理を実行している取引のエラーの情報を「エラーあり」とする（ステップＳ１０６）。
【００９７】
また、紙幣識別部１８ｃは、紙幣が偽券または損券であると判定された場合（ステップＳ１０２：Ｎｏ）、紙幣を回収部１６へ回収して（ステップＳ１０７）、ステップＳ１０８へ処理を移行する。
【００９８】
そして、紙幣識別部１８ｃは、識別する紙幣があるか否かを判定し（ステップＳ１０８）、識別する紙幣があると判定された場合（ステップＳ１０８：Ｎｏ）、識別する紙幣がなくなるまで、ステップＳ１０１〜ステップＳ１０５までの処理を繰り返す。
【００９９】
一方、識別する紙幣がなしと判定された場合（ステップＳ１０８：Ｙｅｓ）、エラー関連付け部１８ａは、エラーが発生したか否かを判定し（ステップＳ１０９）、エラーが発生していないと判定された場合（ステップＳ１０９：Ｙｅｓ）、紙幣収納処理を実行している取引のエラーの情報を「エラーなし」とする（ステップＳ１１０）。
【０１００】
一方、エラー関連付け部１８ａは、エラーが発生したと判定された場合（ステップＳ１０９：Ｎｏ）、紙幣収納処理を実行している取引のエラーの情報を「エラーあり」とする（ステップＳ１１１）。
【０１０１】
その後、エラー関連付け部１８ａは、収納属性とエラーの有無である情報とを関連付けてエラー情報１７ａに記憶して（ステップＳ１１２）、金種ごとの各収納部１５へ紙幣を収納して（ステップＳ１１３）、一連の紙幣収納処理を終了する。
【０１０２】
つぎに、紙幣処理装置１０が行う紙幣繰出し処理手順の概要について、図８を用いて説明する。図８は、紙幣処理装置が実行する紙幣繰出し処理手順の概要を示すフローチャートである。なお、ここでは、収納部１５ごとに本フローチャートで示した紙幣繰出し処理手順を行うこととする。
【０１０３】
同図に示すように、出金判定部１８ｄは、収納部１５で出金する紙幣の出金枚数を取得し（ステップＳ２０１）、総出金枚数を０に初期化し（ステップＳ２０２）、収納部１５から紙幣を１枚繰出す（ステップＳ２０３）。
【０１０４】
そして、出金判定部１８ｄは、記憶部１７から繰出された紙幣に対応するエラー情報１７ａを取得して（ステップＳ２０４）、エラーなしと関連付けられているか否かを判定する（ステップＳ２０５）。
【０１０５】
出金判定部１８ｄは、エラーなしと関連付けられていると判定された場合（ステップＳ２０５：Ｙｅｓ）、ステップＳ２０３で繰出した紙幣を、出金対象紙幣として出金部１４に搬送し（ステップＳ２０６）、総出金枚数に１加算する（ステップＳ２０７）。
【０１０６】
また、出金判定部１８ｄは、エラーありと関連付けられていると判定された場合（ステップＳ２０５：Ｎｏ）、ステップＳ２０３で繰出した紙幣を、回収部１６へ回収して（ステップＳ２０８）、ステップＳ２０９へ処理を移行する。
【０１０７】
そして、出金判定部１８ｄは、出金枚数と総出金枚数とが等しいか否かを判定し（ステップＳ２０９）、出金枚数と総出金枚数とが等しくないと判定された場合（ステップＳ２０９：Ｎｏ）、総出金枚数が出金枚数に到達するまで、ステップＳ２０３〜ステップＳ２０７までの処理を繰り返す。
【０１０８】
一方、出金判定部１８ｄは、出金枚数と総出金枚数とが等しいと判定された場合（ステップＳ２０９：Ｙｅｓ）、出金部１４に搬送されたすべての出金対象紙幣を出金して（ステップＳ２１０）、一連の紙幣繰出し処理を終了する。
【０１０９】
紙幣処理装置１０では、出金指示を受け付けると、上述したように、金種ごとに設けられた各収納部１５に収納された紙幣を、金種ごとに出金枚数に到達するまで繰出して、出金指示とともに受け付けた出金金額を出金するよう、処理を繰り返す。
【０１１０】
なお、ここでは、ステップＳ２０９で出金枚数と総出金枚数とを比較したが、各収納部１５で出金する紙幣の出金額と出金部１４に搬送された出金対象紙幣の総額とを比較して、紙幣の出金終了の判定を行ってもよい。
【０１１１】
上述してきたように、紙幣処理装置１０は、装置内に紙幣を収納する際に、収納属性に関連付けてエラーが発生したか否かを記憶し、収納された紙幣を出金する際には、記憶されたエラーの情報に基づいて紙幣を出金するか否かを判定し、出金対象紙幣と判定された紙幣を出金することによって、紙幣の誤出金を防止することができる。
【０１１２】
ところで、これまで本発明の実施例について説明してきたが、本発明は上述した実施例以外にも、種々の異なる形態にて実施されてよいものである。本実施例においては、装置内に紙幣を収納する際に、「エラーなし」と関連付けられた紙幣とともに、「エラーあり」と関連付けられた紙幣も収納部１５に収納するようにした。
【０１１３】
しかしながら、本発明はこれに限られるものではない。そこで、以下では、紙幣処理装置１０に、一時保留部を備えるよう構成される変形例について図９を用いて説明する。図９は、変形例にかかる紙幣処理装置１０ａの構成図である。
【０１１４】
なお、図９では、図３と比較して同様の機能を発揮する部分については同一の符号を用いており、異なる機能について説明することとする。
【０１１５】
同図に示すように、紙幣処理装置１０ａは、上部ユニット２０に、一時保留部２２を備える点で図３に示した紙幣処理装置１０とは異なる。さらに、一時保留部２２には、テープに挟まれた紙幣を収納する際、テープとともに紙幣を巻き取るローラ２３を備えている。
【０１１６】
ここで、紙幣処理装置１０ａの装置内部を、処理および紙幣の流れとともに説明する。入金部１２に紙幣が挿入されたら、紙幣は紙幣識別部１８ｃに搬送されて、紙幣識別部１８ｃでは、搬送された紙幣の識別が行われる。
【０１１７】
そして、紙幣が真券かつ正券であると判定された場合に、紙幣は搬送路２１経由で、一時保留部２２へ搬送され、収納される。紙幣が収納される際に、エラー関連付け部１８ａは、収納属性とエラーの有無とを関連付けてエラー情報１７ａに記憶する。一方、紙幣が偽券または損券であると判定された場合には、紙幣は搬送路２１経由で、回収部１６へ回収されることとなる。
【０１１８】
そして、所定のタイミングで、一時保留部２２に収納されている紙幣は、識別された金種に対応する収納部１５へ送出される。各収納部１５へ紙幣が送出される際、一時保留部２２から１枚ずつ紙幣が繰出され、制御部１８は、繰出された紙幣に関連付けられたエラー情報１７ａに基づいてエラーが発生したか否かを判定する。
【０１１９】
そして、繰出された紙幣が、エラーなしと判定された場合に、繰出された紙幣は出金対象紙幣として、搬送路２１経由で識別された金種に対応する収納部１５へ送出され、収納される。一方、収納部１５から繰出された紙幣が、エラーありと判定された場合には、繰出された紙幣は搬送路２１経由で、回収部１６へ回収されることとなる。
【０１２０】
このように、変形例にかかる紙幣処理装置１０ａは、顧客によって預け入れが行われる際に、一時保留部２２に一時的に紙幣を収納して、その後、出金対象紙幣だけを、金種に対応する収納部１５に収納する点で、紙幣処理装置１０とは異なる。
【０１２１】
つぎに、紙幣処理装置１０ａが行う紙幣処理手順の詳細について、図１０〜図１１を用いて説明する。まず、紙幣処理装置１０ａが行う紙幣収納処理手順について、図１０を用いて説明する。図１０は、変形例にかかる紙幣収納処理手順の一例を示す図である。
【０１２２】
同図の（Ａ）に示すように、紙幣処理装置１０ａは、一時的に紙幣を収納する一時保留部２２を備えており、ローラ２３を巻き取ることによって入金部１２から挿入された紙幣を収納する。
【０１２３】
収納属性決定部１８ｂは、紙幣の一時保留部２２に収納される収納順序を収納属性として決定する。また、エラー関連付け部１８ａでは、エラー検知部１１から受け付けたエラーの情報を、収納属性決定部１８ｂで決定された紙幣の収納属性と関連付けて、エラー情報１７ａとして記憶する。
【０１２４】
そして、収納属性決定部１８ｂは、決定された収納属性に基づいて一時保留部２２へ真券かつ正券と判定された紙幣のみが搬送され、収納される。
【０１２５】
たとえば、紙幣処理装置１０ａは、１回目の預け入れが行われた際に、Ａ金種の紙幣が１枚およびＢ金種の紙幣が１枚入金され、エラーが発生しなかった場合に、一時保留部２２に２枚の入金紙幣が収納される（同図の（Ａ）参照）。
【０１２６】
そして、紙幣処理装置１０ａは、入金された合計２枚の紙幣に対して、「エラー：なし」と関連付けてエラー情報１７ａに記憶する。なお、ここでは、取引単位を顧客によって現金の預け入れが１回行われる単位として説明する。
【０１２７】
その後、紙幣処理装置１０ａは、２回目の預け入れが行われた際に、Ｂ金種の紙幣が１枚およびＣ金種の紙幣が１枚入金され、入金取引中に何らかのエラーが発生したとする。この場合、入金された合計２枚の紙幣に対して、「エラー：あり」と関連付けてエラー情報１７ａに記憶し、各紙幣は一時保留部２２に収納される（同図の（Ｂ）参照）。
【０１２８】
さらに、紙幣処理装置１０ａは、３回目の預け入れが行われた際に、Ｂ金種の紙幣が１枚、Ａ金種の紙幣が１枚およびＣ金種の紙幣が１枚入金され、エラーが発生しなかった場合に、入金された合計３枚の紙幣に対して、「エラー：なし」と関連付けてエラー情報１７ａに記憶し、各紙幣は一時保留部２２に収納される（同図の（Ｃ）参照）。
【０１２９】
つぎに、紙幣処理装置１０ａが行う紙幣送出処理手順の詳細について、図１１を用いて説明する。図１１は、変形例にかかる紙幣送出処理手順の一例を示す図である。
【０１３０】
同図に示すように、紙幣処理装置１０ａは、所定のタイミングで、一時保留部２２に収納されていた紙幣のうち、エラー情報１７ａに基づいてエラーなしと判定された出金対象紙幣だけを、金種に対応する収納部１５に送出して、収納する。
【０１３１】
たとえば、紙幣処理装置１０ａは、入金や出金等の取引後に、一定時間取引が行われなかった場合、一時保留部２２に収納されていた紙幣を、金種に対応する収納部１５に送出する送出処理が行われる。また、紙幣処理装置１０ａは、入金や出金等の取引が開始されたら、送出処理を終了することとする。
【０１３２】
具体的には、制御部１８は、一時保留部２２から紙幣を送出する際、記憶部１７に記憶されているエラー情報１７ａに基づいて出金対象紙幣か否かを判定する。制御部１８は、繰出された紙幣に、エラーなしと関連付けられている場合は、出金対象紙幣と判定して、金種に対応する収納部１５へ送出させて、収納する。
【０１３３】
ここで、一時保留部２２から各収納部１５に送出する際に、エラーが発生した場合には、上述した実施例で説明したように、エラー関連付け部１８ａは、収納属性とエラーの有無とを関連付けてエラー情報１７ａに記憶する。
【０１３４】
一方、繰出された紙幣に、エラーありと関連付けられている場合は、繰出された紙幣を回収部１６へ回収させる。ここでは、出金対象紙幣と判定された紙幣が、金種に対応する各収納部１５へ収納され、エラーありと関連付けられているＢ金種の紙幣１枚およびＣ金種の紙幣１枚が、回収部１６に回収された図を示す。
【０１３５】
なお、ここでは、エラーありと関連付けられている紙幣を回収部１６に回収されるようにしたが、紙幣識別部１８ｃで、再識別を行うようにしてもよく、再度識別した際に、エラーなしと判定された場合、効率良く紙幣を出金対象紙幣として利用することができる。
【０１３６】
そして、紙幣処理装置１０ａは、出金指示を受け付けると、出金判定部１８ｄでは、出金指示部１３からの出金指示とともに受け付けた出金金額になるよう、各金種の収納部１５から紙幣を繰出して、出金する。
【０１３７】
上述してきたように、変形例にかかる紙幣処理装置１０ａは、顧客によって預け入れが行われる際に、一時保留部２２に一時的に紙幣を収納して、その後、出金対象紙幣だけを、金種に対応する収納部１５に収納する。そして、出金の際は、エラーの判定をすることなく、各収納部１５から出金をすることができる。
【０１３８】
このようにすることで、変形例にかかる紙幣処理装置１０ａは、紙幣の誤出金を防止することができるとともに、出金処理にかかる処理時間を短縮することによって、顧客に対するサービスの向上をはかることができる。
【０１３９】
なお、ここでは、送出処理を開始するタイミングを、入金や出金等の取引後に、一定時間取引が行われなかった場合としたが、取引後すぐに送出処理を開始するようにしてもよいし、一時保留部２２に収納される紙幣が所定の枚数を超えた場合に、送出処理を開始するようにしてもよい。
【０１４０】
また、紙幣処理装置１０ａは、テープ方式で紙幣を収納する一時保留部２２が、紙幣を収納するために巻き取ったテープ長が所定の閾値を超えた場合に、送信処理を開始するようにしてもよいし、収納部１５に収納されている紙幣が、所定枚数未満になった金種がある場合に、送信処理を開始するようにしてもよい。
【０１４１】
また、紙幣処理装置１０ａは、入金や出金等の取引が開始されたら、送出処理を終了することとしたが、送出処理開始後、所定の時間が経過したら終了するようにしてもよいし、送出処理によって収納部１５に送出された紙幣が所定の枚数を超えた場合に、送出処理を終了するようにしてもよい。
【０１４２】
また、紙幣処理装置１０ａは、テープ方式で紙幣を収納する一時保留部２２が、紙幣を送出するために巻き戻したテープ長が所定の閾値を超えた場合に、送出処理を終了するようにしてもよいし、収納部１５に収納されている紙幣が、所定枚数を超えた金種がある場合に、送信処理を終了するようにしてもよい。
【０１４３】
また、上述した変形例では、一時保留部２２に収納されていた紙幣を、金種に対応する収納部１５に送出する際、各収納部１５のローラ２３が同時に、テープを巻き取るために作動することによって、大容量の電源が必要となる。
【０１４４】
そこで、電源容量を節減することができる紙幣処理装置１０ａが実行する紙幣送出処理手順の変形例について、図１２を用いて説明する。図１２は、変形例にかかる紙幣送出処理手順の一例を示す図である。
【０１４５】
同図の（Ａ）および（Ｂ）に示すように、紙幣処理装置１０ａは、Ａ金種、Ｂ金種およびＣ金種の金種ごとに収納部１５を備えており、この他に、図示しない金種に対応する複数の収納部１５を備えているものとする。
【０１４６】
一時保留部２２は、ローラ２３を巻き戻すことによって、紙幣を金種に対応する収納部１５へ送出し、一方、各収納部１５は、ローラ３１を巻き取ることによって、一時保留部２２から送出された紙幣を収納する。
【０１４７】
以下では、一時保留部２２に収納される紙幣を各収納部１５へ送出する際、一時保留部２２にＡ、ＢおよびＣの金種の紙幣が収納されていた場合について説明する。ここで、紙幣処理装置１０ａには、予め、収納部１５のローラ３１を同時に作動することが可能な個数を設定しておくものとする。
【０１４８】
そして、一時保留部２２から紙幣を送出している間に、設定した個数のローラ３１が同時に作動している場合には、一時保留部２２を所定の時間、停止させて、紙幣を送出させないこととする。
【０１４９】
以下では、まず図１２（Ａ）を用いて、ローラ３１が３個同時に作動する場合を示した後、同図（Ｂ）を用いてローラ３１を２個まで同時に作動することが可能であると設定した場合を示す。同図の（Ａ）に示すように、一時保留部２２に収納されているＡ金種の紙幣の先端１０１からＢ金種の紙幣の先端１０２までの距離が長さＬであるとする。そして、一時保留部２２に収納されているＢ金種の紙幣の先端１０２からＣ金種の紙幣の先端１０３までの距離もまた長さＬであるとする。
【０１５０】
また、同図の（Ａ）に示すように、Ａ金種収納部１５の入口１０４からＢ金種収納部１５の入口１０５までの搬送路２１の距離およびＢ金種収納部１５の入口１０５からＣ金種収納部１５の入口１０６までの搬送路２１の距離が長さＬであるとする。
【０１５１】
この場合、紙幣処理装置１０ａが一時保留部２２から３種類の金種の紙幣の繰出を開始し（図１２の（Ａ）の（１）参照）、紙幣を搬送路２１経由で各収納部１５へ搬送すると（図１２の（Ａ）の（２）参照）、搬送路２１上では、Ｃ金種の紙幣の先端１０３がＣ金種収納部１５の入口１０６に到達すると同時に、Ａ金種の紙幣の先端１０１はＡ金種収納部１５の入口１０４に到達することとなる。さらに、Ｂ金種の紙幣の先端１０２はＢ金種収納部１５の入口１０５に到達することとなる。
【０１５２】
したがって、紙幣処理装置１０ａは同時に各収納部１５の入口に到達した３種類の紙幣を、それぞれの収納部１５に収納する際には（図１２の（Ａ）の（３）参照）、３個のローラ３１を同時に作動させる必要がある。
【０１５３】
しかし、同時に作動可能な個数は２個と設定されているため、一時保留部２２から紙幣を送出する前に予め紙幣処理装置１０ａは上述したように３個以上のローラ３１が同時に作動する場合があるか否かを予測する。
【０１５４】
そして、３個以上のローラ３１が同時に作動する場合があると予測されると、同図の（Ｂ）に示すように、紙幣処理装置１０ａは一時保留部２２からＣ金種およびＢ金種の紙幣を送出したならば、一時保留部２２を所定の時間、停止させる（図１２の（Ｂ）の（１）参照）。
【０１５５】
そして、紙幣処理装置１０ａは一時保留部２２から送出されたＣ金種およびＢ金種の紙幣を搬送させる（図１２の（Ｂ）の（２）参照）。そして、各収納部１５の入口に到達したＣ金種およびＢ金種の紙幣を、２個のローラ３１を作動させることによって各収納部１５に収納する（図１２の（Ｂ）の（３）参照）。
【０１５６】
その後、紙幣処理装置１０ａはＣ金種収納部１５またはＢ金種収納部１５へ紙幣の収納が完了してから、Ａ金種の紙幣の先端１０１がＡ金種収納部１５の入口１０４に到達するようなタイミングで、再び一時保留部２２を作動させて、Ａ金種の紙幣の送出を行う。
【０１５７】
このように、一時保留部２２から紙幣を送出する際に、同時に作動するローラ３１が設定された作動可能な個数を超える場合を予測して、一時保留部２２を停止させることによって、電源容量を節減するとともに、消費電力にかかるコストを削減することができる。
【０１５８】
また、電源容量を節減することにともない、電源設備自体も小さな形状でよくなることによって、紙幣処理装置１０ａの外形も小さくすることができ、装置にかかるコストを削減することができる。
【０１５９】
なお、特許請求の範囲に記載の紙幣処理装置は紙幣処理装置１０、紙幣識別部は紙幣識別部１８ｃ、収納属性決定部は収納属性決定部１８ｂ、不具合検知部はエラー検知部１１、関連付け部はエラー関連付け部１８ａ、除外部は出金判定部１８ｄに相当するものである。
【０１６０】
なお、上述した実施例では、紙幣識別部１８ｃが、入金部１２から受け付けた紙幣が、偽券または損券であると判定した場合は、紙幣を回収部１６に回収するようにしたが、出金部１４等から顧客に返却するようにしてもよい。
【産業上の利用可能性】
【０１６１】
以上のように、本発明にかかる紙幣処理装置は、挿入された紙幣を収納し、紙幣の払出指示を受け付けた際、収納された紙幣から繰出す場合に有用であり、特に、収納された紙幣から誤って繰出されるのを防止したい場合に適している。
【符号の説明】
【０１６２】
１０    紙幣処理装置
１０ａ  紙幣処理装置
１１    エラー検知部
１２    入金部
１３    出金指示部
１４    出金部
１５    収納部
１６    回収部
１７    記憶部
１７ａ  エラー情報
１８    制御部
１８ａ  エラー関連付け部
１８ｂ  収納属性決定部
１８ｃ  紙幣識別部
１８ｄ  出金判定部
２０    上部ユニット
２１    搬送路
２２    一時保留部
２３    ローラ
３０    下部ユニット
３１    ローラ
３２    テープ
３３    テープリール
３４    ガイドローラ
【図１】
2011070437.tif 000003
【図２】
2011070437.tif 000004
【図３】
2011070437.tif 000005
【図４】
2011070437.tif 000006
【図５】
2011070437.tif 000007
【図６】
2011070437.tif 000008
【図７】
2011070437.tif 000009
【図８】
2011070437.tif 000010
【図９】
2011070437.tif 000011
【図１０】
2011070437.tif 000012
【図１１】
2011070437.tif 000013
【図１２】
2011070437.tif 000014